(57)【要約】【課題】取付部材と湿式外壁の間の一次防水、及び取付部材と躯体壁の間の二次防水を同時かつ容易に行うことができ、さらに、高い防水性能を確保することができる取付部材の防水構造を提供することを課題とする。【解決手段】防水構造１であって、板状のフィン１１が突設されているサッシ枠材１０（取付部材）と、フィン１１の外面１１ａ側に設けられている湿式外壁２０と、フィン１１の内面１１ｂ側に設けられている躯体壁３０と、両面に粘着面を有し、外面４０ａが湿式外壁２０の内面２０ｂに貼り付けられ、内面４０ｂがフィン１１の外面１１ａから躯体壁３０の外面３０ａに亘って貼り付けられているブチルテープ４０と、から構成されていることを特徴としている。【選択図】図２
2008019592.tif 000002
【特許請求の範囲】
【請求項１】
板状のフィンが突設されている取付部材と、
前記フィンの外面側に設けられている湿式外壁と、
前記フィンの内面側に設けられている躯体壁と、
両面に粘着性を有し、外面が前記湿式外壁の内面に貼り付けられ、内面が前記フィンの外面から前記躯体壁の外面に亘って貼り付けられているブチルテープと、
から構成されていることを特徴とする取付部材の防水構造。
【発明の詳細な説明】
【技術分野】
【０００１】
本発明は、サッシ枠材等の取付部材と、湿式外壁及び躯体壁との防水構造に関する。
【背景技術】
【０００２】
構造体の開口部に設けられるサッシ枠材と、外壁部材及び躯体壁との防水構造としては、図４に示すように、躯体側の側面１０ａに板状のフィン１１が突設されているサッシ枠材１０と、フィン１１の外面１１ａ側に設けられている外壁部材１２０と、フィン１１の内面１１ｂ側に設けられている躯体壁３０と、フィン１１の外面１１ａから躯体壁３０の外面３０ａに亘って貼り付けられている防水テープ１４０と、から構成され、サッシ枠材１０と外壁部材１２０との間に、ゴム材や合成樹脂材によって形成された目地材１５０が設けられている防水構造１００がある（例えば、特許文献１参照）。
【０００３】
この従来の防水構造１００では、サッシ枠材１０と外壁部材１２０の間の一次防水を目地材１５０により行うとともに、サッシ枠材１０と躯体壁３０の間の二次防水を防水テープ１４０により行っている。
【０００４】
【特許文献１】特開平７−１７３９７６号公報（段落００１９〜００２０、図２）
【発明の開示】
【発明が解決しようとする課題】
【０００５】
しかしながら、前記した従来の防水構造１００において、外壁部材１２０にモルタル等の湿式外壁を用いている場合には、外壁部材１２０の施工時に、湿式外壁の硬化成分であるセメント等の水和反応により、外壁部材１２０が硬化とともに収縮して、目地材１５０と外壁部材１２０の間に隙間ｔが生じる場合があり、この隙間ｔから雨水が躯体壁３０側に浸入してしまうという問題がある。
そこで、外壁部材１２０の収縮に追従して変形するシーリング材等の不定形材料を用いて目地材１５０を構成することもできるが、この構成では、防水作業が煩雑となり、施工コストも高くなってしまうという問題がある。
【０００６】
また、外壁部材１２０では、躯体壁３０の外面３０ａに湿式外壁の壁材を塗り付けたときの押圧力によって、躯体壁３０との密着性が高まっているが、外壁部材１２０の幅方向（図４の左右方向）には、壁材を塗り付けたときの押圧力が十分に加わらないため、目地材１５０と外壁部材１２０の幅方向の接合面の密着性が低くなり、目地材１５０と外壁部材１２０の間に隙間ｔが生じ易いという問題がある。
【０００７】
また、目地材１５０と外壁部材１２０の外面に仕上げ材を吹き付けて被覆した場合には、目地材１５０と外壁部材１２０の材質の違いによる線膨張率の差によって、仕上げ材に亀裂が生じてしまうという問題がある。
【０００８】
また、サッシ枠材１０と外壁部材１２０の間の防水性能を高めるために、目地材１５０を外壁部材１２０の内面側から外部に露出する位置まで延設しているが、外部に露出した目地材１５０が紫外線の影響により劣化して、防水性能が低下してしまうという問題がある。
【０００９】
そこで、本発明では、前記した問題を解決し、取付部材と湿式外壁の間の一次防水、及び取付部材と躯体壁の間の二次防水を同時かつ容易に行うことができ、さらに、高い防水性能を維持することができる取付部材の防水構造を提供することを課題とする。
【課題を解決するための手段】
【００１０】
前記課題を解決するため、本発明は、取付部材の防水構造であって、板状のフィンが突設されている取付部材と、フィンの外面側に設けられている湿式外壁と、フィンの内面側に設けられている躯体壁と、両面に粘着性を有し、外面が湿式外壁の内面に貼り付けられ、内面がフィンの外面から躯体壁の外面に亘って貼り付けられているブチルテープと、から構成されていることを特徴としている。
【００１１】
この構成によれば、ブチルテープの内面が、フィンの外面から躯体壁の外面に亘って貼り付けられることにより、取付部材と躯体壁の間の防水が行われている。さらに、ブチルテープの外面が、湿式外壁の内面に貼り付けられることにより、取付部材と湿式外壁の間の防水が行われている。このように、取付部材と湿式外壁の間の一次防水、及び取付部材と躯体壁の間の二次防水を、一枚のブチルテープによって同時かつ容易に行うことができる。
【００１２】
また、ブチルテープは、粘着性を有する非加硫ブチルゴムによって形成された公知のテープであり、耐久性及び耐水性に優れているとともに、湿式外壁との接合性が良く、ブチルテープと湿式外壁が確実に接合されるため、高い防水性能を確保することができる。
【００１３】
さらに、ブチルテープは湿式外壁の内面に貼り付けられており、施工時に湿式外壁が収縮した場合であっても、ブチルテープと湿式外壁の間には隙間が生じないため、躯体壁側への雨水の浸入を確実に防ぐことができる。また、ブチルテープには、湿式外壁を塗り付けたときの押圧力が加わるため、ブチルテープと湿式外壁の密着性を十分に高めることができる。このように、湿式外壁の内面に貼り付けられたブチルテープによって確実に防水を行うことができるため、ブチルテープを湿式外壁の内面側から外部に露出する位置まで延設する必要がなくなる。これにより、ブチルテープが紫外線の影響を受けないため、高い防水性能を維持することができる。
【００１４】
また、湿式外壁の周囲に材質の異なる防水部材を介在させる必要がなくなり、湿式外壁を仕上げ材によって被覆したときに、被覆された部位の線膨張率が一定となるため、仕上げ材の亀裂を防ぐことができる。
【００１５】
なお、取付部材としては、例えば、躯体壁の開口部に設けられるサッシ枠材があるが、その構成は限定されるものではなく、湿式外壁及び躯体壁に設けられる各種の部材に本発明を適用することができる。
また、湿式外壁とは、モルタル等の水分を使用して構築される壁材であり、その構成は限定されるものではない。
【発明の効果】
【００１６】
本発明の取付部材の防水構造によれば、取付部材と湿式外壁の間の一次防水、及び取付部材と躯体壁の間の二次防水を、一枚のブチルテープによって同時かつ容易に行うことができるため、施工効率を向上させることができるとともに、施工コストを低減することができる。
また、ブチルテープは、耐久性及び耐水性に優れているとともに、湿式外壁との接合性が良く、ブチルテープと湿式外壁が確実に接合されるため、高い防水性能を確保することができる。
さらに、湿式外壁の内面に貼り付けられたブチルテープによって確実に防水を行うことができるため、ブチルテープを外部に露出する位置まで延設する必要がなくなる。これにより、ブチルテープが紫外線の影響を受けないため、高い防水性能を維持することができる。
また、湿式外壁の周囲に材質の異なる防水部材を介在させる必要がなくなり、仕上げ材によって被覆された部位の線膨張率が一定となるため、仕上げ材の亀裂を防ぐことができる。
【発明を実施するための最良の形態】
【００１７】
次に、本発明の実施形態について、適宜図面を参照しながら詳細に説明する。
図１は、本実施形態の防水構造を示した全体構成図である。図２は、本実施形態の防水構造を示した図で、図１のＡ−Ａ断面図である。図３は、本実施形態の防水構造を示した分解斜視図である。
【００１８】
本実施形態では、図１に示すように、躯体の開口部２の内周面にサッシ枠材１０（特許請求の範囲における「取付部材」）が設けられている構造体に、本発明の防水構造を適用した場合を例として説明する。
【００１９】
［防水構造の構成］
防水構造１は、図２及び図３に示すように、構造体の開口部２に設けられているサッシ枠材１０と、構造体の外壁である湿式外壁２０と、躯体を構成する躯体壁３０と、躯体壁３０の間に設けられているブチルテープ４０及び防水シート５０とから構成されている。
【００２０】
（サッシ枠材の構成）
サッシ枠材１０は、開口部２の内周面に沿って取り付けられるように延長されたアルミニウム材であり、躯体側（図２の右側）の側面１０ａには、長手方向に沿って板状のフィン１１が垂直に突設されている。
【００２１】
（湿式外壁の構成）
湿式外壁２０は、モルタルを用いた壁材であり、躯体壁３０の外面３０ａ側及びサッシ枠材１０のフィン１１の外面１１ａ側に設けられている。
【００２２】
（躯体壁の構成）
躯体壁３０は、木製の板状部材であり、サッシ枠材１０のフィン１１の内面１１ｂ側に設けられている。この躯体壁３０の開口部２側の端部に対して、サッシ枠材１０のフィン１１に形成された貫通穴（図示せず）に挿通された釘（図示せず）が打ち込まれることにより、躯体壁３０にサッシ枠材１０が固定されている。
【００２３】
（ブチルテープの構成）
ブチルテープ４０は、非加硫ブチルゴムによって形成され、両面に粘着性を有しており、耐久性、耐水性に優れている公知のテープを用いている。
そして、ブチルテープ４０は、外面４０ａが湿式外壁２０の内面２０ｂに貼り付けられ、内面４０ｂがサッシ枠材１０のフィン１１の外面１１ａから躯体壁３０の外面３０ａに亘って貼り付けられている。
【００２４】
（防水シートの構成）
防水シート５０は、防水機能を有する公知のシートであり、本実施形態ではフェルト製のシートを用いている。この防水シート５０は、湿式外壁２０の内面２０ｂと、躯体壁３０の外面３０ａとの間に挟まれている。また、防水シート５０の開口部２側の端部は、ブチルテープ４０の外面４０ａに重ね合わされて貼り付けられている。なお、防水シート５０は、ブチルテープ４０の外面４０ａの躯体側の一部に重ね合わされているため、ブチルテープ４０の外面４０ａと湿式外壁２０の内面２０ｂとの接着部位は確保されている。
【００２５】
［防水構造の施工方法］
次に、前記した防水構造（図１参照）の施工方法について説明する。
まず、図１に示すように、開口部２が形成されるように躯体壁３０を構築する。そして、開口部２の内周面に沿ってサッシ枠材１０を配置し、サッシ枠材１０のフィン１１に形成された貫通穴（図示せず）に挿通させた釘（図示せず）を、躯体壁３０の開口部２側の端部に打ち込むことにより、開口部２の内周面に沿ってサッシ枠材１０を取り付ける。
【００２６】
続いて、図２及び図３に示すように、ブチルテープ４０の内面４０ｂを、サッシ枠材１０のフィン１１の外面１１ａから躯体壁３０の外面３０ａに亘って貼り付けることにより、サッシ枠材１０と躯体壁３０の間の防水を行う。
【００２７】
さらに、躯体壁３０の外面３０ａに防水シート５０を重ね合わせるとともに、防水シート５０の開口部２側の端部を、ブチルテープ４０の外面４０ａの躯体側の一部に重ね合わせて貼り付ける。
【００２８】
そして、ブチルテープ４０の外面４０ａ及び防水シート５０の外面５０ａを覆うように、湿式外壁２０を構築して防水構造１を完成する。このとき、湿式外壁２０の内面２０ｂの開口部２側の端部に、ブチルテープ４０の外面４０ａが貼り付けられることにより、サッシ枠材１０と湿式外壁２０の間の防水が行われる。
【００２９】
［防水構造の作用効果］
以上のような防水構造１によれば、図２及び図３に示すように、ブチルテープ４０の内面４０ｂが、サッシ枠材１０のフィン１１の外面１１ａから躯体壁３０の外面３０ａに亘って貼り付けられることにより、サッシ枠材１０と躯体壁３０間の防水が行われる。さらに、ブチルテープ４０の外面４０ａが湿式外壁２０の内面２０ｂに貼り付けられることにより、サッシ枠材１０と湿式外壁２０の間の防水が行われる。
このように、サッシ枠材１０と湿式外壁２０の間の一次防水、及びサッシ枠材１０と躯体壁３０の間の二次防水を、一枚のブチルテープ４０によって同時かつ容易に行うことができるため、施工効率を向上させることができるとともに、施工コストを低減することができる。
【００３０】
また、ブチルテープ４０は、耐久性及び耐水性に優れているとともに、湿式外壁２０との接合性が良く、ブチルテープ４０と湿式外壁２０が確実に接合されるため、高い防水性能を確保することができる。
【００３１】
さらに、ブチルテープ４０は湿式外壁２０の内面に貼り付けられており、施工時に湿式外壁２０が収縮した場合であっても、ブチルテープ４０と湿式外壁２０の間に隙間が生じないため、躯体壁３０側への雨水の浸入を確実に防ぐことができる。また、ブチルテープ４０には、湿式外壁２０を塗り付けたときの押圧力が加わるため、ブチルテープ４０と湿式外壁２０の密着性を十分に高めることができる。このように、湿式外壁２０の内面２０ｂに貼り付けられたブチルテープ４０によって確実に防水を行うことができるため、ブチルテープ４０を湿式外壁２０の内面２０ｂ側から外部に露出する位置まで延設する必要がなくなる。これにより、ブチルテープ４０が紫外線の影響を受けないため、高い防水性能を維持することができる。
【００３２】
また、図４に示す従来の防水構造１００のように、湿式外壁（外壁部材１２０）の周囲に材質の異なる目地材１５０を介在させる必要がなくなり、図２に示す湿式外壁２０を仕上げ材によって被覆したときに、被覆された部位の線膨張率が一定となるため、仕上げ材の亀裂を防ぐことができる。
【００３３】
［他の実施形態］
以上、本発明の実施形態について説明したが、本発明は前記実施形態に限定されることなく、その趣旨を逸脱しない範囲で適宜に設計変更が可能である。例えば、本実施形態では、サッシ枠材１０と、湿式外壁２０及び躯体壁３０との防水構造１について説明しているが、サッシ枠材１０に限定されるものではなく、湿式外壁２０及び躯体壁３０に設けられる各種の取付部材に本発明を適用することができる。
【図面の簡単な説明】
【００３４】
【図１】本実施形態の防水構造を示した全体構成図である。
【図２】本実施形態の防水構造を示した図で、図１のＡ−Ａ断面図である。
【図３】本実施形態の防水構造を示した分解斜視図である。
【図４】従来の防水構造を示した水平断面図である。
【符号の説明】
【００３５】
１      防水構造
２      開口部
１０    サッシ枠材
１１    フィン
２０    湿式外壁
３０    躯体壁
４０    ブチルテープ
５０    防水シート
ｔ      隙間
【図１】
2008019592.tif 000003
【図２】
2008019592.tif 000004
【図３】
2008019592.tif 000005
【図４】
2008019592.tif 000006